(57)【要約】【課題】  キャッシュカードやクレジットカード等のカード類の収納性を向上しつつ、カードの保護を向上させた財布を提供すること。【解決手段】  カード収納部５と貨幣収納部４とが形成された財布本体１と、一端側が財布本体１の背面と接続されると共に、他端側が財布本体の正面と嵌脱可能に構成され、カード収納部５と貨幣収納部４の上方を覆う意匠カバー２とを備える。このカード収納部５は、平面視略葛折状に折り曲げられた側壁１４が財布本体の幅方向に所要の間隔をおいて並設されると共に、外方に向かって突設される山部同士を隔壁１６で接続させて複数個の袋状に形成されており、そのカード収納部５を財布本体１の背面側に配設させる。【選択図】    図１
0003125368.tif 000002
【実用新案登録請求の範囲】
【請求項１】
カード収納部と貨幣収納部とが形成された財布本体と、
一端側が前記財布本体の背面と接続されると共に、他端側が前記財布本体の正面と嵌脱可能に構成され、前記カード収納部と前記貨幣収納部の上方を覆う意匠カバーとを備えてなり、
前記カード収納部は、平面視略葛折状に折り曲げられた側壁が前記財布本体の幅方向に所要の間隔をおいて並設されると共に、外方に向かって突設される山部同士を隔壁で接続させて複数個の袋状に形成されてなり、そのカード収納部が前記財布本体の背面側に配設されていることを特徴とする財布。
【請求項２】
前記カード収納部は、前記財布本体の幅方向に並設されていると共に、内側の前記側壁同士が接続されて略袋状に形成されていることを特徴とする請求項１記載の財布。
【請求項３】
前記カード収納部と前記貨幣収納部とが接続され、前記カード収納部は前記財布本体の背面側に接続され、前記貨幣収納部は前記財布本体の正面側に接続されていることを特徴とする請求項１または２記載の財布。
【請求項４】
前記意匠カバーは、前記カード収納部と前記貨幣収納部の上方に位置する裏面部分に、持ち手を保持させる係止バンドが設けられていることを特徴とする請求項１〜３の何れかに記載の財布。
【考案の詳細な説明】
【技術分野】
【０００１】
本考案は、財布に関する。
【背景技術】
【０００２】
従来からキャッシュカードやクレジットカードを収納するカード収納部と、紙幣や硬貨を収納する貨幣収納部とを備えた財布がある。
このような財布におけるカード収納部（カード収容構造）は、例えば、収容するカード類の両端をその溝相互間で挟み込むために対向する蛇腹状の挟持壁と、その挟持壁相互間に形成されるカード類の収容域とを具備し、カード類をその収容域に出入れするときには対向する挟持壁の蛇腹状の溝の相互間間隔が拡大可能に構成されたものがある（例えば特許文献１参照）。
【０００３】
また、カード収納部を備えた財布として、例えば、上記したような蛇腹状の挟持壁を備えて複数のポケットを形成し、そのポケットの一部に開閉ファスナーを付けて小銭等のばらつくものを収納し易いように袋状の収納部を構成したものがある（例えば特許文献２参照）
【特許文献１】特開平９−１０８０１８号公報（第１頁、図１）
【特許文献２】特開２００２−１０１９３３号公報（第１頁、図１）
【考案の開示】
【考案が解決しようとする課題】
【０００４】
上記した蛇腹状の挟持壁同士でもってカードの両端を保持させる構造は、複数枚のカードの挿入や取り出しが容易な上、例えば、磁気面同士が密着しない等、好適なものではあるものの、後者のように、財布に組み込む場合、特にその配置や財布自体の形状は考慮されていなかった。
【０００５】
すなわち、前者または後者の財布は、２つ折の財布本体の上縁部にファスナーを設けて見開き可能にし、２つ折の財布本体の外観形状を構成する正面壁と背面壁の何れか一方側または双方側に紙幣や硬貨を収納する貨幣収納部を設けた構造になっていたり、上記したように、蛇腹状の挟持壁を備えて複数のポケットを形成し、そのポケットの一部に開閉ファスナーを付けて貨幣収納部を構成している。
【０００６】
したがって、上記した形状の財布のカード収納部にカードを保持させて、例えばポケットなどに入れて持ち歩く際、その形状から財布全体が撓みやすく、また、財布が撓んだ際硬貨等が障害物となってカードを破損させる惧れがあった。また、財布から貨幣を取り出す際、貨幣を取り出し易くするために財布を広げるようにするのが一般的であるが、この際も、カードが大きく撓み易く、決して好適なものとは言えなかった。もっとも、財布全体の剛性をあげれば一見解決するようであるが、しかしながら、購買意欲を惹起させる商品性を確保したり、貨幣を取り出し易くするためには、自ずと限界がある。
【０００７】
そこで本考案は、このような状況に鑑みてなされたものであり、キャッシュカードやクレジットカード等のカード類の収納性を向上しつつ、カードの保護を向上させた財布を提供することを目的とする。
【課題を解決するための手段】
【０００８】
上記技術課題を達成するために、本考案にかかる財布は、下記の技術的手段を講じた。
すなわち、請求項１にかかる財布は、カード収納部と貨幣収納部とが形成された財布本体と、一端側が前記財布本体の背面と接続されると共に、他端側が前記財布本体の正面と嵌脱可能に構成され、前記カード収納部と前記貨幣収納部の上方を覆う意匠カバーとを備えてなり、前記カード収納部は、平面視略葛折状に折り曲げられた側壁が前記財布本体の幅方向に所要の間隔をおいて並設されると共に、外方に向かって突設される山部同士を隔壁で接続させて複数個の袋状に形成されてなり、そのカード収納部が前記財布本体の背面側に配設されていることを特徴とする。
請求項２にかかる財布は、請求項１において、前記カード収納部は、前記財布本体の幅方向に並設されていると共に、内側の前記側壁同士が接続されて略袋状に形成されていることを特徴とする。
請求項３にかかる財布は、請求項１または２において、前記カード収納部と前記貨幣収納部とが接続され、前記カード収納部は前記財布本体の背面側に接続され、前記貨幣収納部は前記財布本体の正面側に接続されていることを特徴とする。
請求項４にかかる財布は、請求項１〜３の何れかにおいて、前記意匠カバーは、前記カード収納部と前記貨幣収納部の上方に位置する裏面部分に、持ち手を保持させる係止バンドが設けられていることを特徴とする。
【考案の効果】
【０００９】
本考案の財布によれば、平面視略葛折状に折り曲げられた側壁が財布本体の幅方向に所要の間隔をおいて並設されると共に、外方に向かって突設される山部同士を隔壁で接続させて複数個の袋状に形成されてなるカード収納部と、貨幣収納部との上方を覆う意匠カバーを備えて構成し、さらに、カード収納部を意匠カバーの接続側である財布本体の背面側に配設したから、例えば、意匠カバーを開き、貨幣を取り出すために財布を広げても、財布本体背面側は意匠カバーと接続された状態のため、この意匠カバーが補強部材となって、カードの撓みを最小限に止めることができる。
【考案を実施するための最良の形態】
【００１０】
次に、本考案にかかる財布の実施の形態を、図面を参照しながら説明する。
本考案にかかる財布は、財布本体１と、意匠カバー２とを備え、縫合によって一体化された長財布状をなしている。
【００１１】
財布本体１は、略Ｕ字状に折り曲げられた一枚の帯状部材３と、その帯状部材３の正面側裏面と背面側裏面とに縫合された略袋状の収納部とを備えてなる。
さらに、この収納部は、貨幣収納部４とカード収納部５とを備えてなる。
【００１２】
貨幣収納部４は、第１の貨幣収納部６と、第２の貨幣収納部７とを備えなる。
第１の貨幣収納部６は、帯状部材３の正面側裏面に一端が接続された一対の第１側壁８と、その第１側壁８の他端と接続された第１仕切り板９とで上部が開放可能に形成された袋状に構成されており、さらに、この第１の貨幣収納部６の上部から一方側の側部に亘ってファスナー１０が設けられて、開閉可能に画成されている。
【００１３】
第２の貨幣収納部７は、一端が第１仕切り板９に接続され、他端が第１仕切り板９と所要の間隔をおいて設けられた第２仕切り板１１に接続された一対の第２側壁１２を備え、この第１仕切り板９と第２仕切り板１１と第２側壁１２とで画成されてなる。さらに、この第２の貨幣収納部７は、図示したように、財布本体１の幅方向両端に並設された夫々の第２側壁１２が平面視略葛折状に折り曲げられ、さらに、外方に向かって突設された山部同士を隔壁１３で接続されて、複数個の袋状に形成されている。
なお、この第２の貨幣収納部７は、主に紙幣を収納させるものであり、前記した第１の貨幣収納部６は、主に硬貨等を収納させるものである。
【００１４】
カード収納部５は、一端が第２仕切り板１１に接続され、他端が帯状部材３の背面側裏面に接続された一対の第３側壁１４と、この第３側壁１４間中央に配設され、一端が第２仕切り板１１に接続されると共に他端が帯状部材３の背面側裏面に接続された一対の第４側壁１５とを備え、この第２仕切り板１１と、帯状部材３の背面側裏面と、第３側壁１４と、第４側壁１５とで画成されてなる。
【００１５】
さらに、このカード収納部５は、図示したように、財布本体１の幅方向両端に並設された夫々の第３側壁１４が平面視略葛折状に折り曲げられ、これと対応するように一対の第４側壁１５も平面視略葛折状に折り曲げられると共に、夫々の第４側壁１５の両端部（財布本体１の正面方向の端部と財布本体１の背面方向の端部）とが接続されて略袋状になっている。さらに、対峙した第３側壁１４と第４側壁１５の夫々の山部同士が隔壁１６で接続されて、複数個の袋状に形成されている。
【００１６】
また、このカード収納部５は、カード収納部５の上部から一方側の側部に亘ってファスナー１７が設けられて、開閉可能に画成されている。
このように本実施の形態で例示したカード収納部５は、カードを財布幅方向に並設（２列）させて収納できるようになっているが、１列収納。３列収納など、特に限定されない。
【００１７】
意匠カバー２は、略Ｕ字状に折り曲げられた一枚の帯状意匠部材であり、一端が財布本体１を構成する帯状部材３の背面に重なるように縫合されていると共に、他端が財布本体１を構成する帯状部材３の正面に雄雌一対のホック１８を介して嵌脱可能になっている。このように構成された意匠カバー２は、財布本体１をその上部から被装させると共に、ホック１８を外し開くことで財布本体１上部が露出するようになっている。
【００１８】
さらに、この意匠カバー２には、ホック１８を嵌合させて財布本体１を被装させた際、カード収納部５と貨幣収納部４の上方に位置する裏面部分に、持ち手を保持させる環状の係止バンド１９が縫合されている。
【００１９】
以上のように構成された本考案にかかる財布は、カード収納部５を意匠カバー２の接続側である財布本体１の背面側に配設したから、例えば、意匠カバー２を開き、貨幣を取り出すために財布を広げても、財布本体１背面側は意匠カバー２と接続された状態のため、この意匠カバー２が補強部材となって、カードの撓みを最小限に止めることができるようになっている。
【００２０】
しかも、このカード収納部５は、対峙した第３側壁１４と第４側壁１５の夫々の山部同士を隔壁１６で接続して複数個の袋状に形成されているため、収納性が極めて良い上に、例えば、カードの磁気面同士が密着することがないから、カードのダメージを最小限に止めることができるようになっている。
【００２１】
さらに、係止バンド１９に持ち手を保持させておけば、ホック１８を嵌合させて財布本体１を意匠カバー２で被装させた際、カード収納部５と貨幣収納部４の上方に位置する裏面部分に補強部材が架設されたのと同じ作用をして、携帯時における財布の強度を向上させることができる。
【００２２】
以上、具体的な実施の形態について説明したが、本考案は上記実施の形態に限定されず、考案の要旨を変更しない範囲で適宜変更して実施できることは言うまでもない。
【図面の簡単な説明】
【００２３】
【図１】意匠カバーと夫々のファスナーを開いた状態の本考案にかかる財布の斜視図である。
【図２】意匠カバーを閉じた状態の本考案にかかる財布の斜視図である。
【符号の説明】
【００２４】
１    財布本体
２    意匠カバー
３    帯状部材
４    貨幣収納部
５    カード収納部
６    第１の貨幣収納部
７    第２の貨幣収納部
８    第１側壁
９    第１仕切り板
１０  ファスナー（第１の貨幣収納部の）
１１  第２仕切り板
１２  第２側壁
１３  隔壁（第２の貨幣収納部の）
１４  第３側壁
１５  第４側壁
１６  隔壁（カード収納部の）
１７  ファスナー（カード収納部の）
１８  ホック
１９  係止バンド
【図１】
0003125368.tif 000003
【図２】
0003125368.tif 000004